(57)【要約】【課題】筐体の組付け方向とコネクタの嵌合方向が違うコネクタを低嵌合することができる小型のコネクタを提供する。【解決手段】雄コネクタ３０と、当該雄コネクタに回動自在に取り付けられた嵌合レバー１０と、雄コネクタに嵌合可能な雌コネクタ４０と、一端が雌コネクタに回動自在に取り付けられたガイドレバー２０と、ガイドレバーの他端に回動自在に取り付けられかつ雌コネクタ及び雄コネクタを収容可能なコネクタホルダ５０とを備えたコネクタであって、ガイドレバーが雌コネクタを雄コネクタのコネクタ嵌合面に向かって移動させると共に、嵌合レバーが雌コネクタを雄コネクタに完全嵌合状態に導くことで、コネクタ全体の小型化を図りつつ、低嵌合を実現している。【選択図】　　　　図３
2004039342.tif 000002
【特許請求の範囲】
【請求項１】
第１コネクタと、当該第１コネクタに回動自在に取り付けられた第１レバーと、前記第１コネクタに嵌合可能な第２コネクタと、一端が前記第２コネクタに回動自在に取り付けられた第２レバーと、前記第２レバーの他端に回動自在に取り付けられかつ前記第２コネクタ及び前記第１コネクタの少なくとも一部を収容可能なコネクタホルダとを備えたコネクタであって、
前記第２レバーが前記第２コネクタを前記第１コネクタのコネクタ嵌合面に向かって移動させると共に、前記第１レバーが前記第２コネクタと前記第１コネクタとを嵌合状態に導くことを特徴とするコネクタ。
【請求項２】
第１コネクタと、前記第１コネクタに回動自在に取り付けられた第１レバーと、前記第１コネクタに嵌合可能な第２コネクタと、一端が前記第２コネクタに回動自在に取り付けられた第２レバーと、前記第２レバーの他端に回動自在に取り付けられかつ前記第２コネクタ及び前記第１コネクタの少なくとも一部を収容可能なコネクタホルダとを備えたコネクタであって、
前記第１コネクタが前記第２コネクタの前記第２レバーとの回動支点を待ち受けて前記第２コネクタを前記第１コネクタのコネクタ嵌合面に向かって移動可能な待ち受け部を有し、
前記第１レバーが前記第１コネクタとの連結部に対して一端側にカム溝部を備えると共に、他端側に係合ピンを備え、
前記コネクタホルダが前記係合ピンと係合するガイド溝を備え、
前記第２コネクタが前記第１コネクタのコネクタ嵌合面に向かって移動した状態において、前記第１レバーのカム溝部と前記第２コネクタの回動支点とが係合可能であると同時に、前記第１レバーの係合ピンと前記コネクタホルダのガイド溝とが係合可能であり、
かつ前記第１レバーのカム溝部と前記第２コネクタの回動支点との係合及び前記第１レバーの係合ピンと前記コネクタホルダのガイド溝との係合により前記第１コネクタと前記第２コネクタとを嵌合状態に導くように前記第１レバーを前記第１コネクタに対して回動可能とすることを特徴とするコネクタ。
【請求項３】
前記第２コネクタの回動支点が前記第１レバーのカム溝に係合している状態において前記第１レバーの前記第１コネクタとの連結部と前記第１レバーの係合ピンとの距離が前記第１レバーの前記第１コネクタとの連結部と前記第２コネクタの回動支点の距離より大きいことを特徴とする、請求項２に記載のコネクタ。
【請求項４】
前記第１コネクタと前記第２コネクタとが嵌合状態であっても、前記第２コネクタの第２レバーとの回動支点が前記第１レバーのカム溝部にさらに進入可能であると共に、前記第１レバーの係合ピンが前記コネクタホルダのガイド溝にさらに進入可能であることを特徴とする、請求項２に記載のコネクタ。
【請求項５】
前記第１コネクタと前記第２コネクタが嵌合状態において、前記第１コネクタと前記第２コネクタとの少なくとも一部が前記コネクタホルダに収容されることを特徴とする、請求項１又は請求項２に記載のコネクタ。
【請求項６】
コネクタ嵌合時における前記コネクタホルダと前記第１コネクタとの接近方向と前記第１コネクタと前記第２コネクタとの嵌合方向が一致していないことを特徴とする、請求項３に記載のコネクタ。
【発明の詳細な説明】
【０００１】
【発明が属する技術分野】
本発明は、例えば自動車用の電気部品等の接続に使用するコネクタに関する。
【０００２】
【従来の技術】
従来から、例えば車両の天張りにルームランプ等の電気部品を取り付けるに当たって、天張りに内蔵された待ち受け側のコネクタにルームランプ等の挿入側コネクタを嵌合させるようになっている。このようなコネクタ接続の一例として、特開２００１−６８０６号公報に記載されているように、待ち受け側（雄）コネクタと、挿入側に回転可能に取り付けられたレバーと、そのレバーの先端に取り付けられた挿入側（雌）コネクタとを設け、それぞれのコネクタが取り付けてある筐体の組付け完了と同時にコネクタの嵌合も完了する構造を有するものがある。これは、筐体の組付け完了時のレバーの長さでコネクタが完全嵌合するようになっている。そして、レバーは嵌合面にまで雌コネクタを誘導するガイド棒としての役割を果たしている。
【０００３】
【発明が解決しようとする課題】
しかしながら、上述の構成のコネクタでは、コネクタホルダに対しレバーの回転がボスで止められているだけなので、挿入時にコネクタが正規の位置以外の所に接触した場合でもレバーが回転してしまう。即ち、コネクタがずれた状態でもレバーが回転してしまうので、筐体が取り付けできなかったりコネクタが嵌合できない問題があった。
【０００４】
このように完全嵌合を取付け完了時のレバーの長さに基づいたものとすると、筐体の（組付け方向の）ずれが生じた場合、コネクタの半嵌合が生じる恐れがある。
【０００５】
また、従来型のコネクタでは、コネクタ同士の嵌合を維持する機構がない為、組付け完了後に振動や衝撃により筐体同士がずれた場合、レバーの位置もずれることになりコネクタの嵌合が解除されて電気的な接続不良が生じる恐れもある。
【０００６】
さらに、筐体の組付け方向とコネクタの嵌合方向が違う場合、筐体の組付け方向とコネクタの嵌合方向が同じ場合に較べて、コネクタを嵌合させるために筐体を組み付ける力をより多く必要とし、低嵌合を達成できない。
【０００７】
本発明の目的は、上述の問題点を解決して筐体の組付け方向とコネクタの嵌合方向が違うコネクタを低嵌合することができるコネクタを提供することにある。
【０００８】
【課題を解決するための手段】
上述の課題を解決するために、本発明にかかるコネクタは、第１コネクタと、当該第１コネクタに回動自在に取り付けられた第１レバーと、第１コネクタに嵌合可能な第２コネクタと、一端が第２コネクタに回動自在に取り付けられた第２レバーと、第２レバーの他端に回動自在に取り付けられかつ第２コネクタ及び第１コネクタの少なくとも一部を収容可能なコネクタホルダとを備えたコネクタであって、第２レバーが第２コネクタを第１コネクタのコネクタ嵌合面に向かって移動させると共に、第１レバーで第２コネクタと第１コネクタを嵌合状態に導くことを特徴としている。
【０００９】
第２レバーで第２コネクタを第１コネクタのコネクタ嵌合面に向かって移動させ、第１レバーでこれらのコネクタ同士を完全嵌合状態に導いている。すなわち、レバー２つを使い、挿入側コネクタである第２コネクタの移動量を分割することでレバーを小型化することが可能となる。これによって、コネクタ全体の小型化を達成できる。
【００１０】
また、本発明の請求項２に記載のコネクタは、第１コネクタと、第１コネクタに回動自在に取り付けられた第１レバーと、第１コネクタに嵌合可能な第２コネクタと、一端が第２コネクタに回動自在に取り付けられた第２レバーと、第２レバーの他端に回動自在に取り付けられかつ第２コネクタ及び第１コネクタの少なくとも一部を収容可能なコネクタホルダとを備えたコネクタであって、第１コネクタが第２コネクタと第２レバーとの回動支点を待ち受けて第２コネクタを第１コネクタのコネクタ嵌合面に向かって移動させる待ち受け部を有し、第１レバーが第１コネクタとの連結部に対して一端側にカム溝部を備えると共に、他端側に係合ピンを備え、コネクタホルダが係合ピンと係合するガイド溝を備え、第２コネクタが第１コネクタのコネクタ嵌合面に向かって移動した状態において第１レバーのカム溝部と第２コネクタの回動支点とが係合可能であると同時に、第１レバーの係合ピンとコネクタホルダのガイド溝とが係合可能であり、かつ第１レバーのカム溝部と第２コネクタの回動支点との係合及び第１レバーの係合ピンとコネクタホルダのガイド溝との係合により第１コネクタと第２コネクタを嵌合状態に導くように第１レバーを第１コネクタに対して回動可能とすることを特徴としている。
【００１１】
第２レバーの回動支点が第１コネクタの待ち受け部を経由して第１レバーのカム溝部に導かれる。また、第１レバーの係合ピンがコネクタホルダのガイド溝に導かれる。そして、第２レバーによって第２コネクタが第１コネクタのコネクタ嵌合面に向かって移動させ、その上、第１レバーによってこれらのコネクタ同士を完全嵌合状態に導く。
【００１２】
また、本発明の請求項３に記載のコネクタは、請求項２に記載のコネクタにおいて、第２コネクタの回動支点が第１レバーのカム溝に係合している状態において第１レバーの第１コネクタとの連結部と第１レバーの係合ピンとの距離が第１レバーの第１コネクタとの連結部と第１レバーの第２コネクタとの係合部との距離より大きいことを特徴としている。
【００１３】
第２レバーによって第２コネクタを第１コネクタのコネクタ嵌合面に向かって移動させた後に、第１レバーがコネクタ同士を嵌合状態に導くが、この際、待ち受け側である第１コネクタと係合している第１レバーの回動中心（支点）と、コネクタホルダのガイド溝に進入するようになっている第１レバーの係合ピン（力点）と、挿入側である第２コネクタの第１レバーとの係合部（作用点）との関係が（支点から作用点までの距離）＜（支点から力点までの距離）となることで、嵌合力を低減することが可能となる。その結果、コネクタの組付け作業性が向上する。これに加えて、嵌合力の低減により端子少極数から端子多極数までの様々なタイプの端子に対応可能となる。
【００１４】
また、本発明の請求項４に記載のコネクタは、請求項２に記載のコネクタにおいて、第１コネクタと第２コネクタとが嵌合状態であっても、第１レバーのカム溝に第２コネクタの第２レバーとの回動支点がさらに進入可能であると共に、コネクタホルダのガイド溝に第１レバーの係合ピンがさらに進入可能であることを特徴としている。
【００１５】
コネクタ嵌合後、第２コネクタの第２レバーとの回動支点が第１レバーのカム溝内にさらに進入可能となっており、かつ第１レバーの係合ピンがコネクタハウジングのガイド溝内にさらに進入可能となっているので、公差に基づく各部品間の大きさのばらつきがあってもこれを吸収して常にコネクタ同士の完全嵌合を実現する。
【００１６】
また、本発明の請求項５に記載のコネクタは、請求項１又は請求項２に記載のコネクタにおいて、第１コネクタと第２コネクタが嵌合状態において第１コネクタと第２コネクタとの少なくとも一部がコネクタホルダに収容されることを特徴としている。
【００１７】
レバー分割型にすることでレバー全体の小型化を図ることができたので、小型のコネクタホルダに収容可能なコネクタ構造を容易に達成できる。
【００１８】
また、本発明の請求項６に記載のコネクタは、請求項３に記載のコネクタにおいて、コネクタ嵌合時におけるコネクタホルダと第１コネクタとの接近方向が第１コネクタと第２コネクタとの嵌合方向と一致していないことを特徴としている。
【００１９】
コネクタホルダと第１コネクタとの接近方向が第１コネクタと第２コネクタとの嵌合方向と不一致であっても、レバー分割タイプとすることで全体の小型化を図りつつ、てこの原理によりコネクタ同士を低嵌合可能にする。
【００２０】
【発明の実施の形態】
以下、本発明の一実施形態に係るコネクタを図面に基づいて説明する。
尚、図１ないし図７及びこれに関する以下の説明ではコネクタの上側半部を説明するが、下側半部についても同様な構成及び作用を有するものである。
【００２１】
本発明の一実施形態に係るコネクタは、図１及び図２に示すように、雄コネクタ（第１コネクタ）３０と、雄コネクタ３０に回動自在に備わった嵌合レバー１０と、雄コネクタ３０に嵌合可能な雌コネクタ４０と、一端が雌コネクタ４０に回動自在に備わったガイドレバー２０と、ガイドレバー２０の他端と回動自在に連結されたコネクタホルダ５０とを備えている。
【００２２】
まず最初に雄コネクタ３０について説明する。図１に示す雄コネクタ３０は樹脂でできており略直方体形状を有している。そして、雄コネクタ３０の半部（図１中左側半部）には図示しない複数の雄コネクタ端子が内蔵されている。又、残りの半部には、雌コネクタ４０を嵌合収容する収容部３１が形成されている。そして、収容部３１の上下周壁面には切欠き部３２が形成されている。尚、切欠き部３２は後述する雌コネクタ４０のボス（回動支点）４５を待ち受ける待ち受け部３２ａと、待ち受け部３２ａからコネクタ嵌合部側に延在形成された受け入れ部３２ｂとからなる。そして、受け入れ部３２ｂの端部近傍には嵌合レバー１０を回動自在に支持する回動支点３５が雄コネクタ３０の上下壁面から突出形成されている。
【００２３】
続いて、嵌合レバー１０について説明する。嵌合レバー１０も樹脂でできており、上面視で一端１０ａが幅広に形成され他端１０ｂが先端に向かって徐々に幅狭に形成され、かつ側面視で角型Ｃ形状を有し、上述した雄コネクタの回動支点３５を回動中心として雄コネクタ３０を抱きかかえるように当該雄コネクタ３０に取り付けられている。そして、嵌合レバー１０の幅広部には一側にカム溝入り口部１１ａを有しかつカム溝入り口部１１ａから幅広部の端面に沿って湾曲したカム溝１１が延在形成している。一方、嵌合レバー１０の幅狭部には後述するコネクタホルダのガイド溝５３（図２参照）と係合する係合ピン１２が形成されている。
【００２４】
続いて、雌コネクタ（第２コネクタ）４０について説明する。雌コネクタ４０も樹脂でできており、図２に平面視で示すように略直方体形状を有している。又、雌コネクタ４０は雄コネクタ３０のコネクタ収納部に収容される大きさを有し、その本体半部（図中、左側半部）には雄コネクタ３０の端子と結合する複数の雌コネクタ端子（図示せず）が内蔵されている。また、雌コネクタ４０の上下面にはガイドレバーの回動支点としての役割を果たすボス（回動支点）４５が突出形成されている。なお、ボス（回動支点）４５は、雌コネクタ４０を雄コネクタの雌コネクタ収容部３１に挿入する際に、雄コネクタの待ち受け部３２ａ（図１）に当接可能であるとともに、受け入れ部３２ｂ（図１）に進入可能となっている。
【００２５】
続いて、コネクタホルダ５０について説明する。コネクタホルダ５０も樹脂でできており、矩形の上下壁部（図２では上壁部５１のみ図示）及び上下壁部に連結した隣接する側壁部５２とを備え、雄コネクタ３０、嵌合レバー１０、雌コネクタ４０、及び後述するガイドレバー２０を内部に収容可能なようになっている。そして、上下壁部の内側面には図中破線で示す略Ｌ字型形状のガイド溝５３が形成されている。また、ガイド溝５３から離間しかつ側壁部５２の近傍においてガイドレバー２０とのボス（回動支点）５５が上下壁部の内側面から内方に突出形成されている。
【００２６】
続いてガイドレバー２０について説明する。ガイドレバー２０も樹脂でできており、図２に示すように細長のプレート形状を有している。そして、ガイドレバー２０の一端には雌コネクタ４０のボス（回動支点）４５と係合する孔部２１が形成され、他端にはコネクタホルダ５０のボス（回動支点）５５と係合する長穴部２２が形成されている。
【００２７】
尚、コネクタホルダのガイド溝５３、嵌合レバーのカム溝１１、嵌合レバーの係合ピン１２、及び雌コネクタのボス（回動支点）４５は、嵌合レバーの係合ピン１２がコネクタホルダのガイド溝５３に係合し、雌コネクタのボス（回動支点）４５が雄コネクタの待ち受け部３２ａの適所に位置したとき（即ち、雌コネクタ４０が雄コネクタ３０の嵌合面に向かって適所に移動したとき）、雌コネクタのボス（回動支点）４５が嵌合レバーのカム溝入り口部１１ａからカム溝１１に進入するような寸法関係を有している。また、コネクタホルダのガイド溝端部５３ｂ及びガイドレバーの長穴端部２２ｂは、各部品が適切な寸法関係を備えた場合であってコネクタ同士が完全嵌合した状態において、雌コネクタ４０と雄コネクタ３０をコネクタホルダ５０の更に内方に挿入できる程度の余裕（図７に示す距離Ｂ）をもって形成されている。
【００２８】
続いて、本発明の一実施形態に係るコネクタの嵌合の仕方について説明する。
【００２９】
まず最初に、図３に示すように待ち受け側である雄コネクタ３０に挿入側である雌コネクタ４０を接近させる。
【００３０】
そして、雌コネクタ４０を雄コネクタ３０の挿入開口部に挿入する。この挿入によって、雌コネクタのボス（回動支点）４５が雄コネクタの待ち受け部３２ａに当接する（図４参照）。続いて、コネクタホルダ５０を雄コネクタ３０にさらに押し付けると雌コネクタのボス（回動支点）４５が待ち受け部３２ａに沿って一方向（図４中左方向）に移動する。即ち、図４においてガイドレバー２０が反時計方向に若干回転する。そして、図５に示すように、雌コネクタのボス（回動支点）４５は、嵌合レバーのカム溝入り口部１１ａに位置する。これと同時に、嵌合レバーの係合ピン１２が図５に示すようにコネクタホルダのガイド溝５３に進入する。
【００３１】
続いて、コネクタホルダ５０を雄コネクタ３０にさらに押しつけると雌コネクタのボス（回動支点）４５が嵌合レバーのカム溝１１内に進入するとともに嵌合レバーの係合ピン１２がコネクタホルダのガイド溝５２内に進入していく。
【００３２】
ここで、雌コネクタのボス（回動支点）４５は雄コネクタの受け入れ部３２ｂによってその移動方向が規制されており、嵌合レバーの係合ピン１２もコネクタホルダのガイド溝５３によって移動方向が規制されている。さらに、雌コネクタのボス（回動支点）４５は嵌合レバーのカム溝１１内に進入しており、両者の相対的な位置関係は拘束されている。そして、これらの拘束関係によって嵌合レバー１０は図５において雄コネクタの回動支点３５を中心として時計方向に回転していく。これに伴い、雌コネクタのボス（回動支点）４５もカム溝１１内に進入すると、同時に、雄コネクタの受け入れ部３２ｂ内に引き込まれていく。
【００３３】
即ち、コネクタ同士の嵌合を嵌合レバー１１に形成されたカム溝１１の溝形状で規制することによって、部品組付け方向のずれが生じてもコネクタ同士が半嵌合状態になることはない。
【００３４】
その結果、雌コネクタ４０は図６に示すように雄コネクタ３０と完全嵌合状態になるとともに、雌コネクタ４０及び雄コネクタ３０はコネクタホルダ５０の内部に収容される。
【００３５】
このようにガイドレバー２０の回動によって雌コネクタ４０が図５に示すように雄コネクタ３０のコネクタ嵌合面に向かって移動され、その後、嵌合レバー１０によってコネクタ同士が図６に示す嵌合状態に導かれるようになっているので、コネクタ同士の完全嵌合に至る過程を二つの異なるレバーが分担していることになる。従って、嵌合レバーのカム溝１１を短く設計することができ、嵌合レバー自体及びこれに関連してコネクタ全体の大きさを小型化できる。
【００３６】
更には、嵌合レバーの係合ピン１２と雄コネクタの回動支点３５との間の距離（力点から支点までの距離で図５に示すＸ）が、雌コネクタのボス（回動支点）４５から雄コネクタの回動支点３５までの距離（作用点から支点までの距離で図５に示すＹ）よりも大きいので、てこの原理によりコネクタ同士の低嵌合を実現できる。
【００３７】
続いて、本実施形態に係るコネクタは、図６から図７に示すように雄コネクタ３０と雌コネクタ４０をコネクタホルダ５０の更に奥に押しこむことができる。
【００３８】
この押し込みによって、雌コネクタのボス（回動支点）４５が嵌合レバーのカム溝端部１１ｂに達するとともにコネクタホルダのボス（回動支点）５５がガイドレバーの長穴端部２２ｂに達する。
【００３９】
これによって、仮に図６の状態において本来はコネクタ同士が係合ピン１２及びボス（回動支点）５５から距離Ａだけ離れた嵌合ポイントＰ１の位置において完全嵌合状態にあるにもかかわらず、各部品間の公差に基づくばらつきによってコネクタ同士が半嵌合状態になっていても、（雄コネクタ３０及び雌コネクタ４０をコネクタホルダ５０内にさらに図７に示す距離Ｂだけ押し込み、コネクタ同士が係合ピン１２及びボス（回動支点）５５から距離Ａ＋Ｂだけ離れた嵌合ポイントＰ２の位置まで偏倚させることで、）図７の状態に達するまでにこれらのばらつきを吸収してコネクタ同士を完全嵌合状態に導くことができる。
【００４０】
このようにコネクタ同士の嵌合が終了すると、この嵌合状態は嵌合レバー１０でしっかりと維持されているので、外力が不意に作用してもコネクタ同士の嵌合が解除することはない。
【００４１】
なお、上述のように嵌合した雌コネクタ４０を雄コネクタ３０から離脱させるためには、上述の手順と逆の手順を行えば良い。すなわち、まずコネクタホルダ５０に収容された雄コネクタ３０及び雌コネクタ４０をコネクタホルダ５０の外部に引き出す。
【００４２】
これによって、嵌合レバー１０はコネクタ嵌合動作とは逆に、雌コネクタのボス（回動支点）４５を中心として図７において半時計方向に回転すると共にガイドレバー２０は時計方向に回転する。そして、図６に示す状態を経て、図５に示す状態に至る。ここで、雄コネクタ３０をコネクタホルダ５０から更に引き離すと、雌コネクタのボス（回動支点）４５はレバーのカム溝１１から離脱するとともに雌コネクタ４０と雄コネクタ３０との嵌合が解除する。
【００４３】
更に雌コネクタ４０をコネクタホルダ５０から引き離すと雌コネクタのボス（回動支点）４５は雄コネクタの待ち受け部３２ａから離間するとともに、雌コネクタ４０が雄コネクタ３０と離れて図３に示す状態に戻る。このようにして、コネクタ同士の嵌合解除が行われる。
【００４４】
なお、上述の実施形態では第１コネクタを雄コネクタとし、第２コネクタを雌コネクタとしたが、もちろんこの逆、すなわち第１コネクタを雌コネクタとし、第２コネクタを雄コネクタとしても良い。
【００４５】
また、本発明においては、雌コネクタ４０の移動量を嵌合レバー１０とガイドレバー２０とで適当に分割すれば良く、この分割のしかたは、ガイドレバー２０によって雌コネクタ４０を雄コネクタ３０に対して半嵌合状態に導き、嵌合レバー１０によって雌コネクタ４０と雄コネクタ３０とを完全嵌合状態に導くような分割のしかたや、この分割のしかたに限定されず雌コネクタ４０の移動に関する様々な分割のしかたが本発明の範囲に含まれることは言うまでもない。
【００４６】
また、上述のコネクタは待ち受け側コネクタと挿入側コネクタとのコネクタ組付け方向とコネクタ嵌合方向が異なる場合であればいずれの電気部品の接続にも好適に使用できる。従って、上述した天張りのルームランプの取付けに限定されずグローブボックスの取付けやリヤコンビランプの取付け等様々な電気部品の取付けに適する。
【００４７】
【発明の効果】
以上説明したように、本発明の一実施形態にかかるコネクタは、第２レバーで第２コネクタを第１コネクタのコネクタ嵌合面に向かって移動させ、第１レバーでこれらのコネクタ同士を完全嵌合状態に導いている。すなわち、レバー２つを使い、挿入側コネクタである第２コネクタの移動量を分割することでレバーを小型化することが可能となる。これによって、コネクタ全体の小型化を達成できる。
【００４８】
また、本発明の請求項２に記載のコネクタは、第２レバーの回動支点が第１コネクタの待ち受け部を経由して第１レバーのカム溝部に導かれる。また、第１レバーの係合ピンがコネクタホルダのガイド溝に導かれる。そして、第２レバーによって第２コネクタを第１コネクタのコネクタ嵌合面に向かって移動させ、その上、第１レバーによってこれらのコネクタ同士を嵌合状態に導く。
【００４９】
また、本発明の請求項３に記載のコネクタは、第２レバーによって第２コネクタを第１コネクタのコネクタ嵌合面に向かって移動させた後に第１レバーがコネクタ同士を嵌合状態に導くが、この際、待ち受け側である第１コネクタと係合している第１レバーの回動中心（支点）と、コネクタホルダのガイド溝に進入するようになっている第１レバーの係合ピン（力点）と、挿入側である第２コネクタの第１レバーとの係合部（作用点）との関係が（支点から作用点までの距離）＜（支点から力点までの距離）となることで、嵌合力を低減することが可能となる。その結果、コネクタの組付け作業性が向上する。これに加えて嵌合力の低減により端子少極数から端子多極数までの様々なタイプの端子に対応可能となる。
【００５０】
また、本発明の請求項４に記載のコネクタは、コネクタ嵌合後、第２コネクタのガイドレバーとの回動支点が第１レバーのカム溝内にさらに進入可能となり、かつ第１レバーの係合ピンがコネクタハウジングのガイド溝内にさらに進入可能となっているので、公差に基づく各部品間のばらつきがあってもこれを吸収して常にコネクタ同士の完全嵌合を実現する。
【００５１】
また、本発明の請求項５に記載のコネクタは、レバー分割型にすることでコネクタ全体の小型化を図ることができたので、小型のコネクタホルダに収容可能なコネクタ構造を容易に達成できる。
【００５２】
また、本発明の請求項６に記載のコネクタは、コネクタホルダと第１コネクタとの接近方向が第１コネクタと第２コネクタとの嵌合方向と不一致であっても、レバー分割タイプとすることで全体の小型化を図りつつ、てこの原理によりコネクタ同士を低嵌合可能にする。
【図面の簡単な説明】
【図１】本発明の一実施形態にかかる雄コネクタ及びこれに取り付けられた嵌合レバーを示した平面図である。
【図２】本発明の一実施形態にかかる雌コネクタ及びコネクタホルダ並びにこれらを連結するガイドレバーを示した平面図である。
【図３】図１の雄コネクタに図２の雌コネクタを接近させた状態を示す平面図である。
【図４】図１の雄コネクタに図２の雌コネクタを挿入し始めた状態を、コネクタホルダを一部破断して示す平面図である。
【図５】図４に続いて雄コネクタに雌コネクタを挿入した状態を、コネクタホルダを一部破断して示す平面図である。
【図６】各部品が適切な寸法関係を有した状態においてコネクタ同士が全嵌合した状態を、コネクタホルダを一部破断して示す平面図である。
【図７】図６に示す雄コネクタと雌コネクタをコネクタホルダ内にさらに挿入した状態を、コネクタホルダを一部破断して示す平面図である。
【符号の説明】
１０　　嵌合レバー
１１　　カム溝
１１ａ　　カム溝入り口部
１１ｂ　　カム溝端部
１２　　係合ピン
２０　　ガイドレバー
２１　　孔部
２２　　長穴部
２２ｂ　　長穴端部
３０　　雄コネクタ
３１　　収容部
３２　　切欠き部
３２ａ　　待ち受け部
３２ｂ　　受け入れ部
３５　　回動支点
４０　　雌コネクタ
４５　　ボス（回動支点）
５０　　コネクタホルダ
５１　　上下壁部
５２　　側壁部
５３　　ガイド溝
５３ｂ　　ガイド溝端部
５５　　ボス（回動支点）
【図１】
2004039342.tif 000003
【図２】
2004039342.tif 000004
【図３】
2004039342.tif 000005
【図４】
2004039342.tif 000006
【図５】
2004039342.tif 000007
【図６】
2004039342.tif 000008
【図７】
2004039342.tif 000009